(57)【要約】【課題】第三者による不正行為を排除し、正当者が預金の払い戻しなどの行為を安全に行うことができる利用予約システムなどを提供する。【解決手段】利用予約システム１は、ＩＣカード１０と、携帯電話機２０と、通信網３０と、銀行システム４０などとを備える。利用者は、携帯電話機２０を操作し、ＩＣカード１０に格納されている利用予約アプリケーションを用いて、銀行システム４０に対して払い戻しの予約を行う。銀行システム４０は、予約に対する確認情報を携帯電話機２０に送信し、ＩＣカード１０は、その確認情報を記憶する。利用者は、自ら指定した払い戻し端末機７０に行き、銀行システム４０によって現実の利用状況や確認情報などが照合され、照合結果が一致している場合には、預金が払い出される。【選択図】図１
2008112361.tif 000002
【特許請求の範囲】
【請求項１】
通信端末と、
前記通信端末とネットワークを介して接続され、前記通信端末から予約を受け付ける受付システムとを備える利用予約システムであって、
前記通信端末は、
利用予約情報を入力する利用予約情報入力手段と、
前記利用予約情報入力手段によって入力された利用予約情報を前記受付システムに送信する第１の端末送信手段と、
前記受付システムから前記利用予約情報に対する確認情報を受信する第１の端末受信手段とを備え、
前記受付システムは、
前記通信端末から利用予約情報を受信する第１の受付受信手段と、
前記第１の受付受信手段が受信した利用予約情報に対する確認情報を前記通信端末に送信する第１の受付送信手段と、
前記確認情報を入力する確認情報入力手段と、
現実の利用状況を利用状況情報として取得する利用状況情報取得手段と、
前記第１の受付送信手段が送信した確認情報と、前記確認情報入力手段に入力された確認情報とを照合する第１の照合手段と、
前記第１の受付受信手段が受信した利用予約情報と、前記利用状況情報取得手段が取得した利用状況情報とを照合する第２の照合手段と、
前記第１及び第２の照合手段の照合結果に基づいて、予約内容の実行可否を判定する実行可否判定手段とを備えること、
を特徴とする利用予約システム。
【請求項２】
請求項１に記載の利用予約システムにおいて、
前記利用予約情報は、利用時間情報、利用場所情報、利用制限情報のうち少なくとも１つを含むこと、
を特徴とする利用予約システム。
【請求項３】
請求項１に記載の利用予約システムにおいて、
前記利用予約情報には、利用者が任意に設定したパスワードが付加されること、
を特徴とする利用予約システム。
【請求項４】
請求項１に記載の利用予約システムにおいて、
前記確認情報は、ワンタイムパスワードからなる確認コードを含むこと、
を特徴とする利用予約システム。
【請求項５】
請求項１に記載の利用予約システムにおいて、
前記通信端末は、前記第１の端末受信手段が受信した確認情報を記憶する確認情報記憶手段を備えること、
を特徴とする利用予約システム。
【請求項６】
請求項１に記載の利用予約システムにおいて、
前記通信端末は、前記確認情報を表示させる表示制御手段を備えること、
を特徴とする利用予約システム。
【請求項７】
請求項１に記載の利用予約システムにおいて、
前記通信端末は、
利用者識別情報を記憶する利用者識別情報記憶手段と、
前記利用予約情報に前記利用者識別情報を付加する利用者識別情報付加手段と、
前記利用予約情報を暗号化する暗号化手段と、
前記利用予約情報に対して電子署名を付加する電子署名付加手段とを備え、
前記受付システムは、
前記電子署名の正当性を確認する電子署名確認手段と、
前記電子署名確認手段が正当であると判断した場合に、前記利用予約情報を復号する復号手段とを備えること、
を特徴とする利用予約システム。
【請求項８】
請求項１に記載の利用予約システムにおいて、
前記受付システムは、
前記確認情報を暗号化する暗号化手段と、
前記確認情報に対して電子署名を付加する電子署名付加手段とを備え、
前記通信端末は、
前記電子署名の正当性を確認する電子署名確認手段と、
前記電子署名確認手段が正当であると判断した場合に、前記確認情報を復号する復号手段とを備えること、
を特徴とする利用予約システム。
【請求項９】
請求項１に記載の利用予約システムにおいて、
前記通信端末は、
現在の位置情報を取得する位置情報取得手段と、
前記位置情報取得手段が取得した位置情報を前記受付システムに送信する第２の端末送信手段と、
前記受付システムから前記位置情報に対する位置応答情報を受信する第２の端末受信手段とを備え、
前記受付システムは、
前記受付システムを構成する複数の受付部の位置情報を記憶している位置情報記憶手段と、
前記通信端末から位置情報を受信する第２の受付受信手段と、
前記第２の受付受信手段が受信した位置情報に基づいて、前記位置情報記憶手段が記憶している複数の受付部の中から最寄の受付部を選択する最寄受付部選択手段と、
前記最寄受付部選択手段が選択した受付部の位置情報を含む位置応答情報を前記通信端末に送信する第２の受付送信手段とを備えること、
を特徴とする利用予約システム。
【請求項１０】
請求項１に記載の利用予約システムにおいて、
前記通信端末は、
現在の時刻情報を取得する時刻情報取得手段と、
前記時刻情報取得手段が取得した時刻情報を前記受付システムに送信する第３の端末送信手段と、
前記受付システムから前記時刻情報に対する時刻応答情報を受信する第３の端末受信手段とを備え、
前記受付システムは、
前記受付システムを構成する複数の受付部の営業時間情報を記憶している営業時間情報記憶手段と、
前記通信端末から時刻情報を受信する第３の受付受信手段と、
前記第３の受付受信手段が受信した時刻情報に基づいて、前記営業時間情報記憶手段が記憶している複数の受付部の中から営業中の受付部を選択する営業中受付部選択手段と、
前記営業中受付部選択手段が選択した受付部の営業時間情報を含む時刻応答情報を前記通信端末に送信する第３の受付送信手段とを備えること、
を特徴とする利用予約システム。
【請求項１１】
請求項１に記載の利用予約システムにおいて、
前記通信端末は、
この通信端末の暗証番号を入力する暗証番号入力手段と、
前記暗証番号入力手段によって暗証番号が入力された場合に、前記利用予約情報の入力を許可する入力許可手段とを備えること、
を特徴とする利用予約システム。
【請求項１２】
請求項１に記載の利用予約システムにおいて、
前記通信端末は、この通信端末に装着することで、この通信端末を利用可能にするＩＣカードを備え、
前記ＩＣカードは、前記確認情報記憶手段、前記表示制御手段、前記利用者識別情報記憶手段、前記利用者識別情報付加手段、前記暗号化手段、前記電子署名付加手段、前記電子署名確認手段、前記復号手段、前記入力許可手段のうち少なくとも１つを備えること、
を特徴とする利用予約システム。
【請求項１３】
請求項１に記載の利用予約システムにおいて、
前記利用予約情報入力手段によって入力された利用予約情報が、所定の条件の場合に、予約の受付を拒否する予約受付拒否手段を備えること、
を特徴とする利用予約システム。
【請求項１４】
請求項１から請求項１３までのいずれか１項に記載の利用予約システムに使用する通信端末。
【請求項１５】
請求項１４に記載の通信端末に実行させる通信端末のプログラムであって、前記通信端末の各手段の機能を実行するための手順を備える通信端末のプログラム。
【請求項１６】
請求項１から請求項１３までのいずれか１項に記載の利用予約システムに使用する受付システム。
【請求項１７】
請求項１６に記載の受付システムに実行させる受付システムのプログラムであって、前記受付システムの各手段の機能を実行するための手順を備える受付システムのプログラム。
【請求項１８】
請求項１２に記載の利用予約システムに使用するＩＣカード。
【請求項１９】
請求項１８に記載のＩＣカードに実行させるＩＣカードのプログラムであって、前記ＩＣカードの各手段の機能を実行するための手順を備えるＩＣカードのプログラム。
【発明の詳細な説明】
【技術分野】
【０００１】
本発明は、所定の施設の利用予約を行う利用予約システム、その利用予約システムに使用する通信端末及びそのプログラム、受付システム及びそのプログラム、ＩＣカード及びそのプログラムに関するものである。
【背景技術】
【０００２】
携帯電話機によるモバイルバンキング、パソコンによるインターネットバンキングは、残高照会、入出金明細、振り替え、振り込み、定期預金の作成・解約、税支払いなどが主なサービスであって、実店舗で行われているサービス（現金・印章などの取り扱い）との連携は行われていなかった（例えば、特許文献１）。
また、最近は、生体情報などによる認証システムにより、現金自動預払機・現金自動支払機（ＡＴＭ・ＣＤ）などを用いた預金管理を厳重にしていく情勢となっているが、多額の設備投資が必要とされ、セキュリティに対するコスト増は、利用者全体で負うこととなる。
一方、実店舗では、通帳、キャッシュカードを用いて、正当な利用者であることを証明すれば（通帳であれば印章により証明、キャッシュカードであれば暗証番号により証明）、預金の払い戻し（引き出し）が可能となるが、逆に言えば、その条件さえ満たせば払い戻しが可能となるので、偽造キャッシュカードなどにより、預金の払い戻しが可能となってしまう。
【特許文献１】特開２００２−２５９６９５号公報
【発明の開示】
【発明が解決しようとする課題】
【０００３】
本発明の課題は、第三者による不正行為を排除し、正当者が預金の払い戻しなどの行為を安全に行うことができる利用予約システムなどを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、通信端末（２０）と、前記通信端末（２０）とネットワーク（３０）を介して接続され、前記通信端末（２０）から予約を受け付ける受付システム（４０）とを備える利用予約システム（１）であって、前記通信端末（２０）は、利用予約情報を入力する利用予約情報入力手段（２２）と、前記利用予約情報入力手段（２２）によって入力された利用予約情報を前記受付システム（４０）に送信する第１の端末送信手段（２３）と、前記受付システム（４０）から前記利用予約情報に対する確認情報を受信する第１の端末受信手段（２３）とを備え、前記受付システム（４０）は、前記通信端末（２０）から利用予約情報を受信する第１の受付受信手段（５１）と、前記第１の受付受信手段（５１）が受信した利用予約情報に対する確認情報を前記通信端末（２０）に送信する第１の受付送信手段（５１）と、前記確認情報を入力する確認情報入力手段（７３）と、現実の利用状況を利用状況情報として取得する利用状況情報取得手段（７３）と、前記第１の受付送信手段（５１）が送信した確認情報と、前記確認情報入力手段（７３）に入力された確認情報とを照合する第１の照合手段（６３１）と、前記第１の受付受信手段（５１）が受信した利用予約情報と、前記利用状況情報取得手段（７３）が取得した利用状況情報とを照合する第２の照合手段（６３２）と、前記第１及び第２の照合手段（６３１、６３２）の照合結果に基づいて、予約内容の実行可否を判定する実行可否判定手段（６３３）とを備えること、を特徴とする利用予約システム（１）である。
請求項２の発明は、請求項１に記載の利用予約システム（１）において、前記利用予約情報は、利用時間情報、利用場所情報、利用制限情報のうち少なくとも１つを含むこと、を特徴とする利用予約システム（１）である。
請求項３の発明は、請求項１に記載の利用予約システム（１）において、前記利用予約情報には、利用者が任意に設定したパスワードが付加されること、を特徴とする利用予約システム（１）である。
請求項４の発明は、請求項１に記載の利用予約システム（１）において、前記確認情報は、ワンタイムパスワードからなる確認コードを含むこと、を特徴とする利用予約システム（１）である。
請求項５の発明は、請求項１に記載の利用予約システム（１）において、前記通信端末（２０）は、前記第１の端末受信手段（２３）が受信した確認情報を記憶する確認情報記憶手段（１２３）を備えること、を特徴とする利用予約システム（１）である。
請求項６の発明は、請求項１に記載の利用予約システム（１）において、前記通信端末（２０）は、前記確認情報を表示させる表示制御手段を備えること、を特徴とする利用予約システム（１）である。
請求項７の発明は、請求項１に記載の利用予約システム（１）において、前記通信端末（２０）は、利用者識別情報を記憶する利用者識別情報記憶手段と、前記利用予約情報に前記利用者識別情報を付加する利用者識別情報付加手段（１３２１）と、前記利用予約情報を暗号化する暗号化手段（１３２２）と、前記利用予約情報に対して電子署名を付加する電子署名付加手段（１３２３）とを備え、前記受付システム（４０）は、前記電子署名の正当性を確認する電子署名確認手段（５３１）と、前記電子署名確認手段（５３１）が正当であると判断した場合に、前記利用予約情報を復号する復号手段（５３２）とを備えること、を特徴とする利用予約システム（１）である。
請求項８の発明は、請求項１に記載の利用予約システム（１）において、前記受付システム（４０）は、前記確認情報を暗号化する暗号化手段（５３４）と、前記確認情報に対して電子署名を付加する電子署名付加手段（５３５）とを備え、前記通信端末（２０）は、前記電子署名の正当性を確認する電子署名確認手段（１３２４）と、前記電子署名確認手段（１３２４）が正当であると判断した場合に、前記確認情報を復号する復号手段（１３２５）とを備えること、を特徴とする利用予約システム（１）である。
請求項９の発明は、請求項１に記載の利用予約システム（１）において、前記通信端末（２０）は、現在の位置情報を取得する位置情報取得手段と、前記位置情報取得手段が取得した位置情報を前記受付システム（４０）に送信する第２の端末送信手段と、前記受付システム（４０）から前記位置情報に対する位置応答情報を受信する第２の端末受信手段とを備え、前記受付システム（４０）は、前記受付システム（４０）を構成する複数の受付部の位置情報を記憶している位置情報記憶手段と、前記通信端末（２０）から位置情報を受信する第２の受付受信手段と、前記第２の受付受信手段が受信した位置情報に基づいて、前記位置情報記憶手段が記憶している複数の受付部の中から最寄の受付部を選択する最寄受付部選択手段と、前記最寄受付部選択手段が選択した受付部の位置情報を含む位置応答情報を前記通信端末（２０）に送信する第２の受付送信手段とを備えること、を特徴とする利用予約システム（１）である。
請求項１０の発明は、請求項１に記載の利用予約システム（１）において、前記通信端末（２０）は、現在の時刻情報を取得する時刻情報取得手段と、前記時刻情報取得手段が取得した時刻情報を前記受付システム（４０）に送信する第３の端末送信手段と、前記受付システム（４０）から前記時刻情報に対する時刻応答情報を受信する第３の端末受信手段とを備え、前記受付システム（４０）は、前記受付システム（４０）を構成する複数の受付部の営業時間情報を記憶している営業時間情報記憶手段と、前記通信端末（２０）から時刻情報を受信する第３の受付受信手段と、前記第３の受付受信手段が受信した時刻情報に基づいて、前記営業時間情報記憶手段が記憶している複数の受付部の中から営業中の受付部を選択する営業中受付部選択手段と、前記営業中受付部選択手段が選択した受付部の営業時間情報を含む時刻応答情報を前記通信端末（２０）に送信する第３の受付送信手段とを備えること、を特徴とする利用予約システム（１）である。
請求項１１の発明は、請求項１に記載の利用予約システム（１）において、前記通信端末（２０）は、この通信端末（２０）の暗証番号を入力する暗証番号入力手段と、前記暗証番号入力手段によって暗証番号が入力された場合に、前記利用予約情報の入力を許可する入力許可手段とを備えること、を特徴とする利用予約システム（１）である。
請求項１２の発明は、請求項１に記載の利用予約システム（１）において、前記通信端末（２０）は、この通信端末（２０）に装着することで、この通信端末（２０）を利用可能にするＩＣカード（１０）を備え、前記ＩＣカード（１０）は、前記確認情報記憶手段（１２３）、前記表示制御手段、前記利用者識別情報記憶手段、前記利用者識別情報付加手段（１３２１）、前記暗号化手段（１３２２）、前記電子署名付加手段（１３２３）、前記電子署名確認手段（１３２４）、前記復号手段（１３２５）、前記入力許可手段のうち少なくとも１つを備えること、を特徴とする利用予約システム（１）である。
請求項１３の発明は、請求項１に記載の利用予約システム（１）において、前記利用予約情報入力手段によって入力された利用予約情報が、所定の条件の場合に、予約の受付を拒否する予約受付拒否手段を備えること、を特徴とする利用予約システム（１）である。
請求項１４の発明は、請求項１から請求項１３までのいずれか１項に記載の利用予約システム（１）に使用する通信端末（２０）である。
請求項１５の発明は、請求項１４に記載の通信端末（２０）に実行させる通信端末のプログラムであって、前記通信端末（２０）の各手段の機能を実行するための手順を備える通信端末のプログラムである。
請求項１６の発明は、請求項１から請求項１３までのいずれか１項に記載の利用予約システム（１）に使用する受付システム（４０）である。
請求項１７の発明は、請求項１６に記載の受付システム（４０）に実行させる受付システムのプログラムであって、前記受付システム（４０）の各手段の機能を実行するための手順を備える受付システムのプログラムである。
請求項１８の発明は、請求項１２に記載の利用予約システム（１）に使用するＩＣカード（１０）である。
請求項１９の発明は、請求項１８に記載のＩＣカード（１０）に実行させるＩＣカードのプログラムであって、前記ＩＣカード（１０）の各手段の機能を実行するための手順を備えるＩＣカードのプログラムである。
【発明の効果】
【０００５】
本発明によれば、通信端末で予約を行い、受付システムで予約内容と現実の利用状況との照合を行い、照合結果に基づいて予約内容の実行可否を判定するので、第三者による不正利用を排除し、安全に予約内容を実行することができる。
また、通信端末を操作するだけの簡便な操作で、不正利用を排除することができ、利用者側にとっても、受付システム側にとっても、利便性や作業性が向上するメリットがある。
【発明を実施するための最良の形態】
【０００６】
本発明は、第三者による不正行為を排除し、正当者が預金の払い戻しなどの行為を安全に行うことができるようにするという目的を、携帯電話機に装着されるＩＣカードに利用予約機能を搭載し、その利用予約機能で事前予約を行い、利用時には、予約内容と現実の利用状況とを照合して、予約内容の実行可否を判定することにより実現する。
【実施例】
【０００７】
以下、図面等を参照して、本発明の実施例について、さらに詳しく説明する。
図１は、本発明による利用予約システム、ＩＣカード、通信端末及び受付システムの実施例を示す全体構成図であり、図２は、本発明によるＩＣカード及び通信端末の構成を示すブロック図であり、図３は、利用予約管理部１３２を示す図であり、図４は、情報管理サーバ５０、預金管理サーバ６０及び払い戻し端末機７０を示す図である。
図１に示すように、利用予約システム１は、ＩＣカード１０と、携帯電話機（通信端末）２０と、移動通信網としての通信網（ネットワーク）３０と、銀行システム（受付システム）４０などとを備える。
【０００８】
ＩＣカード１０は、ＩＣカード１０を利用する利用者に関する情報（以下、「利用者情報」という。）を記憶する携帯型情報記憶媒体であって、携帯電話機２０に装着することで携帯電話機２０を利用可能にするものである。図２に示すように、ＩＣカード１０は、ＣＰＵ１３と、ＣＰＵ１３にシステムバス１４を介して接続されているＩ／Ｆ１１、記憶部１２などとを備え、一般的なＵＩＭ（Ｕｓｅｒ  Ｉｄｅｎｔｉｔｙ  Ｍｏｄｕｌｅ）の機能及びメモリカードの機能を有している。
ここで、ＵＩＭとは、ユーザ識別モジュールであり、電話番号やメモリダイヤル情報などの移動電話サービスの加入者に関する加入者情報を記憶するＩＣカードである。ＩＣカード１０は、例えば、ＭＭＣ（マルチメディアカード。登録商標）規格との互換性を維持しながらマルチバンクやマルチファンクションの機能を実現するために、ＭＭＣ規格に準拠のメモリカードにＳＩＭ（Ｓｕｂｓｃｒｉｂｅｒ  Ｉｄｅｎｔｉｔｙ  Ｍｏｄｕｌｅ）を搭載したＩＣカードと同様の構成を有している（国際公開Ｗ０１／８４４８０号参照。）。
【０００９】
Ｉ／Ｆ１１は、携帯電話機２０との間で行われる通信を制御する通信インターフェイスである。Ｉ／Ｆ１１は、ＩＳＯ／ＩＥＣ７８１６などの一般的なＩＣカード規格に準拠する通信インターフェイスであって、Ｉ／Ｆ１１の外部端子、通信プロトコル、コマンドは、一般的なＩＣカード規格に準拠し、携帯電話機２０のＩ／Ｆ２７と通信を行う。
【００１０】
記憶部１２は、ＲＡＭ１２１と、ＲＯＭ１２２と、ＳＲＡＭやＥＥＰＲＯＭなどの不揮発性メモリ１２３とを有し、種々のプログラム（ＩＣカードのプログラムなど）、データを記憶する記憶装置である。ＲＡＭ１２１は、揮発性メモリであって、ＣＰＵ１３の作業領域として用いられ、ＣＰＵ１３により実行されるプログラムや各種データが一時的に格納される。なお、ＲＡＭの機能は、以下に示すＲＡＭについても同様である。ＲＯＭ１２２には、オペレーティングシステム（以下、「ＯＳ」という。）など、ＣＰＵ１３により実行される各種プログラムなどが格納されている。
【００１１】
不揮発性メモリ１２３は、随時書き換え可能なメモリであって、ＵＩＭとして機能するためのテレコムアプリケーション、利用予約を管理するための利用予約アプリケーション、確認情報（詳細は後述）を表示するための確認情報表示アプリケーション（表示制御手段）、カードＩＤ、利用者情報など、主にＵＩＭとしてＩＣカード１０が機能するための各種プログラム及びデータが格納される。これらのアプリケーションは、ＳＡＴ（ＳＩＭ  Ａｐｐｌｉｃａｔｉｏｎ  Ｔｏｏｌｋｉｔ）の規格に準拠している。
利用予約アプリケーションには、後述する情報管理サーバ５０のアドレス、口座番号に関連付けされた利用者ＩＤ（利用者識別情報）、サービス提供者（銀行、利用施設など）が発行するサービス提供者の電子署名検証用公開鍵、ＵＩＭ電子署名用秘密鍵、メッセージの暗号・復号鍵が格納されている。
【００１２】
利用者情報は、ＩＣカード１０の利用者に関する情報であって、加入者情報、クレジットカード番号や銀行の口座番号などの決済用識別情報、発呼や着呼などに関する履歴情報、電話帳情報などを含んでいる。加入者情報は、携帯電話機２０が通話、パケット通信などを行う、つまり、通信サービス加入者が通信サービスを受けるために必要な情報であって、加入者の電話番号など、加入者を識別するための加入者ＩＤ、加入している通信事業者の識別情報、加入者であることを証明するための暗号鍵などを含んでいる。加入者ＩＤは、ＩＣカード１０による通信サービスの加入契約に応じて通信事業者により加入者に対して割り当てられ、不揮発性メモリ１２３に記憶される。不揮発性メモリ１２３は、銀行システム４０から送信されてきた確認情報を格納する確認情報格納領域を有する。
【００１３】
ＣＰＵ１３は、ＲＯＭ１２２や不揮発性メモリ１２３に格納されている各種プログラムを実行することにより、携帯電話機２０との通信を制御するなど、システムバス１４を介して接続されている装置各部を制御する。ＣＰＵ１３は、テレコムアプリケーションを実行することによってＵＩＭとしての処理を実行するテレコム部１３１を実現し、利用予約アプリケーションを実行することによって利用予約管理部１３２を実現し、確認情報表示アプリケーションを実行することによって確認情報表示部１３３を実現する。
ＵＩＭとしての処理とは、例えば、携帯電話機２０を介して利用者が入力するパスワード（暗証番号、ＰＩＮ２コードなど）と、不揮発性メモリ１２３に予め登録されているパスワードとを照合し、利用者を正当利用者と認証するか否かを判定する利用者認証などの処理である。
【００１４】
利用予約管理部１３２は、利用予約を管理するための処理を行う部分であり、図３に示すように、利用者識別情報付加部１３２１と、暗号化部１３２２と、電子署名付加部１３２３と、電子署名確認部１３２４と、復号部１３２５と、確認情報管理部１３２６とを備える。
利用者識別情報付加部１３２１は、利用予約情報（詳細は後述）に利用者ＩＤを付加して利用予約メッセージを作成する。暗号化部１３２２は、利用予約メッセージを暗号化する。電子署名付加部１３２３は、利用予約メッセージに電子署名を付加する。電子署名確認部１３２４は、銀行システム４０から送信されてきた確認情報に付加されている電子署名の正当性を確認する。復号部１３２５は、電子署名確認部１３２４が、電子署名が正当であると判断した場合に、暗号化されている確認情報を復号する。確認情報管理部１３２６は、復号した確認情報を不揮発性メモリ１２３の確認情報格納領域に格納する。
【００１５】
図１に示すように、携帯電話機２０は、在圏している無線セルをカバーする基地局と無線通信を行い、パケット通信サービスや通話サービスなどの通信サービスを実現する無線通信端末である。携帯電話機２０は、銀行システム４０の情報管理サーバ５０との間で通信を行い、情報管理サーバ５０が提供する情報を受信することができる。
図２に示すように、携帯電話機２０は、装着部２１と、ＣＰＵ２８と、ＣＰＵ２８にシステムバス２９を介して接続されている入力部２２、無線通信部２３、通話処理部２４、記憶部２５、表示部２６、Ｉ／Ｆ２７などとを備える。
装着部２１は、所定の形状のＩＣカード１０を着脱自在に装着する。
入力部２２は、数字や文字、操作指示などを利用者から入力するための複数のキーを備え、これらのキーの操作に応じた操作信号をＣＰＵ２８へ出力する。入力部２２は、利用予約情報を入力する利用予約情報入力手段と、ＩＣカード１０のパスワードを入力する暗証番号入力手段とを兼用している。
ここで、利用予約情報とは、銀行システム４０の利用予約を行う際に必要な情報であって、利用時間情報、利用場所情報、利用制限情報を含む情報である。利用時間情報は、利用時間帯指定情報（例えば１５〜１７時）、利用時間制限情報（例えば１７時まで）などの情報であり、利用場所情報は、ＣＤ・ＡＴＭ・店舗窓口といった場所指定情報（例えばａ銀行ｂ支店ｃＡＴＭ）などの情報であり、利用制限情報は、利用回数制限情報（例えば１回限り）、利用限度額情報（例えば２０万円まで）などの情報である。
【００１６】
無線通信部２３は、アンテナなどを備え、ＣＰＵ２８の制御の下、基地局との無線通信を実現する。無線通信部２３は、ＣＰＵ２８の制御の下で、送話音声に関するデータやパケット通信用のデータなどを搬送波に重畳して送信信号を生成し、アンテナを介して基地局へ送信する。また、無線通信部２３は、基地局から送られてくる無線信号を、アンテナを介して受信し、音声データやパケット通信用のデータなどへ復調する。無線通信部２３は、入力部２２によって入力された利用予約情報を銀行システム４０に送信する第１の端末送信手段と、銀行システム４０から利用予約情報に対する確認情報を受信する第１の端末受信手段とを兼用している。
ここで、確認情報とは、利用予約情報に対する銀行システム４０からの応答情報であり、ワンタイムパスワード（使い捨てパスワード）からなる確認コードを含む情報である。
通話処理部２４は、マイクロフォンやスピーカなどの音声入出力装置、音声処理部などを有し、ＣＰＵ２８の制御の下、呼接続／切断処理を含む通話処理を行う。
【００１７】
記憶部２５は、ＲＡＭ２５１と、ＲＯＭ２５２と、ＳＲＡＭやＥＥＰＲＯＭなどの随時書き換え可能な不揮発性メモリ２５３とを有し、種々のプログラム（通信端末のプログラムなど）、データを記憶する記憶装置である。ＲＯＭ２５２には、ＣＰＵ２８により実行される各種プログラムなどが格納されている。例えば、ＲＯＭ２５２には、携帯電話機２０用のＯＳやＷｅｂブラウザ、Ｊａｖａ（登録商標）実行環境を構築するソフトウェアなどが格納されている。
不揮発性メモリ２５３には、アプリケーションプログラムや各種データが格納される。不揮発性メモリ２５３は、装着部２１に装着されているＩＣカード１０から読み出した加入者情報を格納する加入者情報格納領域を有する。
加入者情報格納領域には、ＩＣカード１０が装着部２１に装着された場合に、ＩＣカード１０から読み出された加入者情報が格納される。つまり、加入者情報格納領域には、その時点で装着部２１に装着されているＩＣカード１０に記憶されている加入者情報が格納される。
【００１８】
表示部２６は、ディスプレイなどの表示装置である。
Ｉ／Ｆ２７は、携帯電話機２０に装着されたＩＣカード１０との間で行われる通信を実現する通信インターフェイスである。Ｉ／Ｆ２７は、一般的なＩＣカード規格に準拠する通信を実現する通信インターフェイスであり、ＩＣカード１０のＩ／Ｆ１１と通信を行う。
【００１９】
ＣＰＵ２８は、演算、制御を行う中央処理装置であって、記憶部２５に格納されている各種プログラムを実行することによって、システムバス２９を介して接続されている各部を制御し、利用予約管理部２８１、ＩＣカード制御部２８２を実現する。
利用予約管理部２８１は、銀行システム４０から送信されてきて無線通信部２３が受信した確認情報を、Ｉ／Ｆ２７を介してＩＣカード１０に送信する。
ＩＣカード制御部２８２は、装着部２１に装着されているＩＣカード１０とＩ／Ｆ２７を介して通信を行い、コマンドを送信し、受信したレスポンスを解析するなど、ＩＣカード１０に係る処理を行う。ＩＣカード制御部２８２は、ＩＣカード１０が装着部２１に装着された場合に、ＩＣカード１０から所定の加入者情報を読み出し、加入者情報格納領域に格納する。ＩＣカード制御部２８２は、ＩＣカード１０に格納されているアプリケーションの表示要求があった場合には、ＩＣカード１０に対して所定のコマンドを送信し、ＩＣカード１０からアプリケーションリストのデータを受信し、そのアプリケーションリストを表示部２６に表示する。ＩＣカード制御部２８２は、ＩＣカード１０に格納されているアプリケーションの実行要求があった場合には、ＩＣカード１０に対して所定のコマンドを送信し、そのアプリケーションを実行させる。
【００２０】
図１に示すように、通信網３０は、携帯電話機２０と銀行システム４０の情報管理サーバ５０とを接続しており、所定のサービス提供エリア内に在る携帯電話機２０に対して通信サービスを提供するものであり、ゲートウェイサーバ、基地局など（図示しない。）を備える。なお、利用予約システム１は、移動通信網としての通信網３０に加え、回線交換網としての通信網（図示しない。）を備えている。この回線交換網としての通信網は、所定のサービス提供エリア内に在る携帯電話機２０に対して一般的な移動電話機の通話サービスを提供する。
ゲートウェイサーバは、インターネット及び通信網３０を相互接続する。ゲートウェイサーバは、インターネットにおける通信プロトコルと、通信網３０における通信プロトコルとの相互変換を行い、インターネット及び通信網３０間においてデータの授受を中継する。基地局は、通信網３０の通信サービスエリア内に多数設置されており、各基地局は、それぞれカバーしている無線セルに在圏する携帯電話機２０と無線通信を行う。
【００２１】
銀行システム４０は、携帯電話機２０と通信網３０を介して接続され、携帯電話機２０から預金の払い戻しの予約を受け付けるシステムであって、情報管理サーバ５０と、預金管理サーバ６０と、払い戻し端末機７０とを備える。
図４に示すように、情報管理サーバ５０は、ＣＰＵ５３と、ＣＰＵ５３にシステムバス５４を介して接続されている通信部５１、記憶部５２などとを備える。
通信部５１は、ＣＰＵ５３の制御の下、携帯電話機２０及び預金管理サーバ６０との通信を実現する。通信部５１は、携帯電話機２０から利用予約メッセージを受信する第１の受付受信手段と、第１の受付受信手段が受信した利用予約メッセージに対する確認情報を携帯電話機２０に送信する第１の受付送信手段とを兼用している。
【００２２】
記憶部５２は、ＲＡＭ５２１と、ＲＯＭ５２２と、ＳＲＡＭやＥＥＰＲＯＭなどの随時書き換え可能な不揮発性メモリ５２３とを有し、種々のプログラム（受付システムのプログラムなど）、データを記憶する記憶装置である。ＲＯＭ５２２には、ＣＰＵ５３により実行される各種プログラムなどが格納されている。例えば、ＲＯＭ５２２には、情報管理サーバ５０を制御するソフトウェアが格納されている。
不揮発性メモリ５２３には、アプリケーションプログラムや各種データ、銀行側の電子署名用秘密鍵、ＵＩＭ電子署名検証用公開鍵、メッセージの暗号・復号鍵が格納される。
【００２３】
ＣＰＵ５３は、演算、制御を行う中央処理装置であって、記憶部５２に格納されている各種プログラムを実行することによって、システムバス５４を介して接続されている各部を制御し、電子署名確認部５３１、復号部５３２、確認情報生成部５３３、暗号化部５３４、電子署名付加部５３５を実現する。
電子署名確認部５３１は、携帯電話機２０から送信されてきた利用予約メッセージに付加されている電子署名の正当性を確認する。復号部５３２は、電子署名確認部５３１が、利用予約メッセージに付加されている電子署名が正当であると判断した場合に、利用予約メッセージを復号し、利用者ＩＤと利用予約情報とを取得する。確認情報生成部５３３は、利用予約情報に対する確認情報を生成する。暗号化部５３４は、確認情報を暗号化する。電子署名付加部５３５は、暗号化部５３４が暗号化した確認情報に対して電子署名を付加する。
また、情報管理サーバ５０は、利用者ＩＤと利用予約情報とを預金管理サーバ６０に送信して予約の指示を行うとともに、暗号化して電子署名を付加した確認情報を携帯電話機２０に送信する。
【００２４】
預金管理サーバ６０は、預金者情報、預金金額などを管理するサーバであり、ＣＰＵ６３と、ＣＰＵ６３にシステムバス６４を介して接続されている通信部６１、記憶部６２などとを備える。
通信部６１は、ＣＰＵ６３の制御の下、情報管理サーバ５０及び払い戻し端末機７０との通信を実現する。
記憶部６２は、ＲＡＭ６２１と、ＲＯＭ６２２と、ＳＲＡＭやＥＥＰＲＯＭなどの随時書き換え可能な不揮発性メモリ６２３とを有し、種々のプログラム（受付システムのプログラムなど）、データを記憶する記憶装置である。ＲＯＭ６２２には、ＣＰＵ６３により実行される各種プログラムなどが格納されている。例えば、ＲＯＭ６２２には、預金管理サーバ６０を制御するソフトウェアなどが格納されている。
不揮発性メモリ６２３には、アプリケーションプログラムや各種データが格納される。不揮発性メモリ６２３は、情報管理サーバ５０から送信されてきた利用者ＩＤと利用予約情報とを格納する利用予約情報格納領域を有する。
【００２５】
ＣＰＵ６３は、演算、制御を行う中央処理装置であって、記憶部６２に格納されている各種プログラムを実行することによって、システムバス６４を介して接続されている各部を制御し、第１の照合部６３１、第２の照合部６３２、実行可否判定部６３３を実現する。
第１の照合部６３１は、情報管理サーバ５０が携帯電話機２０に送信した確認情報と、払い戻し端末機７０に入力され預金管理サーバ６０に送信されてきた確認情報とを照合する。第２の照合部６３２は、情報管理サーバ５０が受信した利用予約情報と、払い戻し端末機７０が取得した利用状況情報（詳細は後述）とを照合する。実行可否判定部６３３は、第１及び第２の照合部６３１、６３２の照合結果に基づいて、予約内容の実行可否を判定する。
【００２６】
図１に示すように、払い戻し端末機７０は、第１のＡＴＭ７０−１と、第２のＡＴＭ７０−２と、支店端末機７０−３とを備え、それぞれは、図４に示すように、ＣＰＵ７６と、ＣＰＵ７６にシステムバス７７を介して接続されている通信部７１、記憶部７２、入力部７３、カード挿入部７４、表示部７５などとを備える。
【００２７】
通信部７１は、ＣＰＵ７６の制御の下、預金管理サーバ６０との通信を実現する。
記憶部７２は、ＲＡＭ７２１と、ＲＯＭ７２２と、ＳＲＡＭやＥＥＰＲＯＭなどの随時書き換え可能な不揮発性メモリ７２３とを有し、種々のプログラム（受付システムのプログラムなど）、データを記憶する記憶装置である。ＲＯＭ７２２には、ＣＰＵ７６により実行される各種プログラムなどが格納されている。例えば、ＲＯＭ７２２には、払い戻し端末機７０を制御するソフトウェアが格納されている。
不揮発性メモリ７２３には、アプリケーションプログラムや各種データが格納される。
【００２８】
入力部７３は、数字や文字、操作指示などを利用者から入力するための複数のキーやタッチパネルを備え、これらの操作に応じた操作信号をＣＰＵ７６へ出力する。入力部７３は、確認情報を入力する確認情報入力手段と、現実の利用状況を利用状況情報として取得する利用状況情報取得手段とを兼用している。ここで、利用状況情報とは、利用者が入力部７３を操作したときに取得される利用時間情報、利用金額情報などの情報である。
【００２９】
カード挿入部７４は、キャッシュカード（銀行用カード）が挿入される部分であり、挿入されたカードに記憶されている情報を読み取って、ＣＰＵ７６に出力する。
表示部７５は、ディスプレイなどの表示装置である。
ＣＰＵ７６は、演算、制御を行う中央処理装置であって、記憶部７２に格納されている各種プログラムを実行することによって、システムバス７７を介して接続されている各部を制御し、払い戻し端末機制御部７６１を実現する。
払い戻し端末機制御部７６１は、キャッシュカードから読み取った情報や利用状況情報を預金管理サーバ６０に送信し、預金管理サーバ６０から受信した判定結果に基づいて、預金の払い戻しの可否を決定する。
【００３０】
次に、利用予約システム１などの動作について説明する。
図５は、利用予約システム１などの動作を示す図である。
ステップ１（以下、「ステップ」を「Ｓ」という。）において、ＩＣカード１０は、携帯電話機２０に装着され、このＩＣカード１０の加入者情報が携帯電話機２０の加入者情報格納領域に格納されている。
【００３１】
まず、利用者は、携帯電話機２０の入力部２２を操作して、ＩＣカード１０に格納されているアプリケーションのリストの表示要求を行う（Ｓ２）。携帯電話機２０は、ＩＣカード１０にアプリケーションリスト表示要求を送信する（Ｓ３）。ＩＣカード１０は、携帯電話機２０にアプリケーションリストのデータを送信する（Ｓ４）。携帯電話機２０は、アプリケーションリストの表示を行う（Ｓ５）。この動作により、利用者は、ＩＣカード１０に格納されているアプリケーションを確認することができる。
【００３２】
ついで、利用者は、携帯電話機２０の入力部２２を操作して、表示されたアプリケーションの中から利用予約アプリケーションを選択し（Ｓ６）、利用予約アプリケーションの選択指示を行う（Ｓ７）。携帯電話機２０は、利用予約アプリケーションが選択された旨の情報をＩＣカード１０に送信する（Ｓ８）。ＩＣカード１０は、利用予約情報の入力要求を携帯電話機２０に送信する（Ｓ９）。携帯電話機２０は、利用者に対して利用予約情報の入力を促す（Ｓ１０）。利用者は、利用予約情報を入力し（Ｓ１１）、利用予約情報の送信要求を行う（Ｓ１２）。このとき、利用者は、予め登録されている口座番号、利用予定の時間帯、払い戻し予定金額、払い戻し場所、利用制限などを入力する。
ここでは、利用時間帯「１５〜１７時」、利用金額「１０万円」、利用場所「第１のＡＴＭ」、利用制限「利用回数１回」と入力したものとする。携帯電話機２０は、入力された利用予約情報をＩＣカード１０に送信する（Ｓ１３）。
【００３３】
そして、ＩＣカード１０は、利用予約情報に利用者ＩＤを付加して利用予約メッセージを作成し（Ｓ１４）、利用予約メッセージを暗号化し（Ｓ１５）、電子署名を生成し、利用予約メッセージにその電子署名を付加する（Ｓ１６）。ＩＣカード１０は、携帯電話機２０に利用予約メッセージの送信要求を行う（Ｓ１７）。携帯電話機２０は、情報管理サーバ５０に利用予約メッセージを送信する（Ｓ１８）。
【００３４】
一方、情報管理サーバ５０は、受信した利用予約メッセージの電子署名を確認し、その電子署名が正当であると判断した場合には、利用予約メッセージを復号し、利用者ＩＤと利用予約情報とを取得し、予約内容を確認して予約を受け付ける。
ついで、情報管理サーバ５０は、利用予約情報に対する確認情報を生成し、確認情報を暗号化し、確認情報に電子署名を付加する（Ｓ１９）。
さらに、情報管理サーバ５０は、利用予約情報の予約内容に基づいて、預金管理サーバ６０に予約指示を行うとともに（Ｓ２０）、暗号化して電子署名を付加した確認情報を携帯電話機２０に送信する（Ｓ２１）。携帯電話機２０は、受信した確認情報をＩＣカード１０に送信する（Ｓ２２）。ＩＣカード１０は、受信した確認情報の電子署名を確認し、その電子署名が正当であると判断した場合には、確認情報を復号し、復号した確認情報を記憶する（Ｓ２３）。ＩＣカード１０は、携帯電話機２０に確認情報の表示要求を送信する（Ｓ２４）。携帯電話機２０は、表示部２６に確認情報を表示する（Ｓ２５）。この動作により、利用者は、ＩＣカード１０に確認情報が格納されたことを知ることができる。この一連の流れで、予約は完了する。なお、確認情報を忘れた場合などには、利用者は、確認情報表示アプリケーションを動作させることにより、携帯電話機２０の表示部２６に確認情報を表示させることができる。
【００３５】
最後に、利用者は、自ら指定した払い戻し端末機７０に行き、払い戻し端末機７０のカード挿入部７４にキャッシュカードを挿入する。そして、利用者は、払い戻し端末機７０の指示に従って、払い戻し端末機７０の入力部７３に利用金額や通知された確認情報などを入力し、支払い要求を行う（Ｓ２６）。
すると、払い戻し端末機７０から預金管理サーバ６０に、利用状況情報と確認情報とを含む支払い要求が送信され（Ｓ２７）、預金管理サーバ６０では、その要求が予め登録された利用予約情報に従っているか否かの判定を行い（Ｓ２８）、その判定結果を要求元の払い戻し端末機７０に送信する（Ｓ２９）。
【００３６】
次に、払い戻し時の具体的な動作について説明する。
図６は、払い戻し時の具体的な動作を示す図である。
上述したように、利用者は、払い戻しの予約を、利用時間帯「１５〜１７時」、利用金額「１０万円」、利用場所「第１のＡＴＭ７０−１」、利用制限「利用回数１回」としている（図６（Ａ）参照。）。
図６（Ｂ）に示すように、利用者が第２のＡＴＭ７０−２で払い戻しを試みると、第２のＡＴＭ７０−２は、預金管理サーバ６０に払い戻し要求を送信する。この場合は、予約状況と現実の利用状況とが一致していないので（指定時間以外かつ指定場所以外）、払い戻しは拒否される。
図６（Ｃ）に示すように、利用者が第１のＡＴＭ７０−１で、指定時間内に、１０万円の払い戻しを試みると、第１のＡＴＭ７０−１は、預金管理サーバ６０に払い戻し要求を送信する。この場合は、予約状況と現実の利用状況とが一致しているので、払い戻しが許可され、預金が払い出される。
図６（Ｄ）に示すように、利用者が第１のＡＴＭ７０−１で、指定時間外に、払い戻しを試みると、第１のＡＴＭ７０−１は、預金管理サーバ６０に払い戻し要求を送信する。この場合は、予約状況と現実の利用状況とが一致していないので（指定時間外かつ２回目）、払い戻しが拒否される。
図６（Ｅ）に示すように、利用者が支店端末機７０−３で払い戻しを試みると、支店端末機７０−３は、預金管理サーバ６０に払い戻し要求を送信する。この場合は、予約状況と現実の利用状況とが一致していないので（指定時間以外かつ指定場所以外）、払い戻しは拒否される。
【００３７】
このように、本実施例によれば、以下のような効果がある。
（１）携帯電話機２０に装着されるＩＣカード１０に利用予約機能を搭載し、その利用予約機能で事前予約を行うことにより、第三者による不正利用を排除し、安全に預金の払い戻しを行うことができる。
（２）簡便な操作で預金の不正な払い戻しの機会を減少させることができるので、利用者側にとっても、銀行側にとっても、金銭面や作業面での受けるメリットは大きい。
（３）携帯電話機は、広く一般に普及しており、キャッシュカードと携帯電話機との両方を随時携帯することは多いため、利便性が損なわれることはない。
【００３８】
（４）利用者は、自らが指定した条件と銀行側から通知された条件と、さらに、従来のキャッシュカードと暗証番号又は通帳と印章により、ＡＴＭ・ＣＤ又は実店舗窓口から安全に預金を引き出すことができる。
（５）利用予約情報及び確認情報については、ＩＣカード１０や銀行システム４０に電子証明書と電子署名演算機能を持たせ、ＩＣカード１０と銀行システム４０との間で、自己署名・署名チェック及び暗号化を実施しているので、高いセキュリティを確保することができる。
（６）利用予約情報は、利用時間情報、利用場所情報、利用制限情報などを含んでいるので、利用者は、予約内容を柔軟に設定することができる。
【００３９】
（７）確認情報は、ワンタイムパスワードからなる確認コードを含んでいるので、セキュリティ性が向上する。
（８）ＩＣカード１０は、確認情報を記憶しており、確認情報表示アプリケーションによって、いつでも確認情報を確認することができるので、利用者の利便性が向上する。
（９）ＩＣカード１０は、ＵＩＭの機能を備えているので、高いセキュリティ性を保つことができ、また、携帯電話機２０から独立して、利用予約管理部１３２などの機能を備えているので、携帯電話機２０を交換したときにもそのまま利用できる。
【００４０】
（変形例）
以上説明した実施例に限定されることなく、種々の変形や変更が可能であって、それらも本発明の均等の範囲内である。
（１）携帯電話機２０は、基地局からの応答やＧＰＳ（ｇｌｏｂａｌ  ｐｏｓｉｔｉｏｎｉｎｇ  ｓｙｓｔｅｍ）などにより現在の位置情報を取得する位置情報取得手段と、位置情報取得手段が取得した位置情報を銀行システム４０に送信する第２の端末送信手段と、銀行システム４０から位置情報に対する位置応答情報を受信する第２の端末受信手段とを備えるようにする。
一方、銀行システム４０は、銀行システム４０を構成する複数のＡＴＭ（受付部）の位置情報を記憶している位置情報記憶手段と、携帯電話機２０から位置情報を受信する第２の受付受信手段と、第２の受付受信手段が受信した位置情報に基づいて、位置情報記憶手段が記憶している複数のＡＴＭの中から最寄のＡＴＭを選択する最寄受付部選択手段と、最寄受付部選択手段が選択したＡＴＭの位置情報を含む位置応答情報を携帯電話機２０に送信する第２の受付送信手段とを備えるようにする。
このようにすれば、利用者は、払い戻しの予約時に、現在位置に最も近いＡＴＭを知ることができ、便利である。
【００４１】
（２）携帯電話機２０は、現在の時刻情報を取得する時刻情報取得手段と、時刻情報取得手段が取得した時刻情報を銀行システム４０に送信する第３の端末送信手段と、銀行システム４０から時刻情報に対する時刻応答情報を受信する第３の端末受信手段とを備えるようにする。
一方、銀行システム４０は、銀行システム４０を構成する複数のＡＴＭの営業時間情報を記憶している営業時間情報記憶手段と、携帯電話機２０から時刻情報を受信する第３の受付受信手段と、第３の受付受信手段が受信した時刻情報に基づいて、営業時間情報記憶手段が記憶している複数のＡＴＭの中から営業中のＡＴＭを選択する営業中受付部選択手段と、営業中受付部選択手段が選択したＡＴＭの営業時間情報を含む時刻応答情報を携帯電話機２０に送信する第３の受付送信手段とを備えるようにする。
このようにすれば、利用者は、払い戻しの予約時に、時間帯指定を行う時間帯に操作可能なＡＴＭを知ることができ、便利である。なお、各送信手段及び各受信手段は、１つの通信部を兼用させてもよい。
【００４２】
（３）携帯電話機２０やＩＣカード１０、銀行システム４０に、利用予約情報が所定の条件の場合に予約の受付を拒否する予約受付拒否部を備えさせてもよい。例えば、所定の条件を「利用金額が多すぎる場合」「利用回数が多すぎる場合」「利用時間が現在時刻から数時間以内の場合」などとすれば、予約に対して一定の制限を加えることができ、システムの信頼性を向上させることができる。
（４）利用予約管理部１３２は、入力部２２によってパスワードが入力された場合に、利用予約情報の入力を許可する入力許可部を備えるようにしてもよい。
このようにすれば、紛失などした携帯電話機２０から簡単に予約されることを防止できる。
（５）確認情報は、利用条件の時間内で、かつ、利用条件の上限金額内であれば、何度でも利用できるようにしてもよいし、また、１回の利用しかできないようにしてもよい。
【００４３】
（６）利用予約を利用しない場合には、１日１回、５万円未満の取引のみ可能とし、利用予約を利用する場合には、それ以外の取引（１日のうち２回目以降の取引や、金額が５万円以上の取引）が可能となる運用であってもよい。
（７）通信端末は、携帯電話機２０の例で説明したが、パーソナルコンピュータであってもよい。
（８）ＩＣカード１０の各機能を携帯電話機に持たせ、携帯電話機のみで運用してもよい。
（９）銀行の払い戻しに対する利用予約の例で説明したが、各種チケットの予約に対して本システムを採用してもよい。
【００４４】
（１０）上述した実施例では、「利用者ＩＤ」と「利用予約情報」とを利用者の携帯電話機２０から銀行システム４０に送り、「確認情報」が銀行システム４０から利用者の携帯電話機２０に送られ、利用者が利用時に、キャッシュカードとキャッシュカードの暗証番号と利用金額に加え、「確認情報」を入力する例で説明したが、これらの入力内容に、利用者が任意に設定したパスワードを加えるようにしてもよい。
この場合には、利用予約アプリケーションに、利用者が任意にパスワードを設定できる機能を備えさせる。
そして、「利用者ＩＤ」と「利用予約情報」と「利用者が任意に設定したパスワード」とを利用者の携帯電話機２０から銀行システム４０に送り（パスワードは暗号化される）、「確認情報」が銀行システム４０から利用者の携帯電話機２０に送られる。利用者は、利用時に、キャッシュカードとキャッシュカードの暗証番号と利用金額に加え、「確認情報」と「利用者が任意に設定したパスワード」とを入力する。
このようにすれば、本人以外の者が利用予約システム１を利用しても、利用者が任意に設定したパスワードによって不正利用を防止することができる。
また、利用予約システム１では、「確認情報」と「利用者が任意に設定したパスワード」とを組み合わせて管理することで、セキュリティ性がより向上し、正しい利用者の正当な利用であることを確認したり、利用予約システム１が不正利用されずに正しく動作することを保障したりすることができる。
【図面の簡単な説明】
【００４５】
【図１】本発明による利用予約システム、通信端末、ＩＣカード及び受付システムの実施例を示す全体構成図である。
【図２】本発明による通信端末及びＩＣカードの構成を示すブロック図である。
【図３】利用予約管理部１３２を示す図である。
【図４】情報管理サーバ５０、預金管理サーバ６０及び払い戻し端末機７０を示す図である。
【図５】利用予約システム１などの動作を示す図である。
【図６】払い戻し時の具体的な動作を示す図である。
【符号の説明】
【００４６】
１  利用予約システム
１０  ＩＣカード
１１  Ｉ／Ｆ
１２  記憶部
１３  ＣＰＵ
１４  システムバス
２０  携帯電話機（通信端末）
２１  装着部
２２  入力部
２３  無線通信部
２４  通話処理部
２５  記憶部
２６  表示部
２７  Ｉ／Ｆ
２８  ＣＰＵ
３０  通信網（ネットワーク）
４０  銀行システム（受付システム）
５０  情報管理サーバ
５１  通信部
５２  記憶部
５３  ＣＰＵ
５４  システムバス
６０  預金管理サーバ
６１  通信部
６２  記憶部
６３  ＣＰＵ
７０  払い戻し端末機
７１  通信部
７２  記憶部
７３  入力部
７４  カード挿入部
７５  表示部
７６  ＣＰＵ
【図１】
2008112361.tif 000003
【図２】
2008112361.tif 000004
【図３】
2008112361.tif 000005
【図４】
2008112361.tif 000006
【図５】
2008112361.tif 000007
【図６】
2008112361.tif 000008